(57)【要約】【課題】小型でありながらも、広い画角および高い光学性能の確保と、高変倍が可能なズームレンズを提供する。【解決手段】このズームレンズは、物体側から順に、正の屈折力を有する第１レンズ群Ｇ11、負の屈折力を有する第２レンズ群Ｇ12、正の屈折力を有する第３レンズ群Ｇ13、および正の屈折力を有する第４レンズ群Ｇ14が配置されて構成される。また、第２レンズ群Ｇ12と第３レンズ群Ｇ13との間には、絞りＳＴＰが配置されている。そして、所定の条件を満足することにより、広い画角（８０°以上）および高い光学性能の確保と、沈胴時の一層の薄型化、高変倍（８倍以上）が可能なズームレンズになる。【選択図】図１
2011039441.tif 000002
【特許請求の範囲】
【請求項１】
物体側から順に配置された、正の屈折力を有する第１レンズ群と、負の屈折力を有する第２レンズ群と、正の屈折力を有する第３レンズ群と、正の屈折力を有する第４レンズ群と、を含み構成され、
前記第１レンズ群は複数の正レンズを含み構成されており、
前記第１レンズ群を構成する複数の正レンズのｄ線におけるアッベ数の平均値をλｄＰ１、前記第１レンズ群を構成する複数の正レンズのｄ線における屈折率の平均値をＮｄＰ１とするとき、以下の条件式を満足することを特徴とするズームレンズ。
（１）    ２５≦λｄＰ１／ＮｄＰ１≦３５
【請求項２】
前記第２レンズ群は、第１負レンズと、第２負レンズとを含む複数の負レンズを備えて構成されており、
前記第２負レンズのｄ線におけるアッベ数をλｄＭ２、前記第２負レンズのｄ線における屈折率をＮｄＭ２とするとき、以下の条件式を満足することを特徴とする請求項１に記載のズームレンズ。
（２）    ２０≦λｄＭ２／ＮｄＭ２≦３１
【請求項３】
前記第２レンズ群は、物体側から順に配置された、第１負レンズと、第２負レンズとを含み構成され、
前記第３レンズ群は、複数の正レンズを含み構成されており、
前記第２負レンズのｄ線におけるアッベ数をλｄＭ２、前記第２負レンズのｄ線における屈折率をＮｄＭ２、前記第３レンズ群中の最も物体側に配置された正レンズのｄ線におけるアッベ数をλｄＰ３、前記第３レンズ群中の最も物体側に配置された正レンズのｄ線における屈折率をＮｄＰ３とするとき、以下の条件式を満足することを特徴とする請求項１または２に記載のズームレンズ。
（３）    ２≦（λｄＭ２／ＮｄＭ２）−（λｄＰ３／ＮｄＰ３）≦１２
【発明の詳細な説明】
【技術分野】
【０００１】
この発明は、デジタルカメラなどの撮像装置に搭載するのに最適な、小型、広角、高倍率のズームレンズに関する。
【背景技術】
【０００２】
近年、デジタルカメラなどにおいて、より一層の小型化とともに高変倍化が要求されている。この要求に応えるために、小型、高倍率のズームレンズが提案されている（たとえば、特許文献１、２を参照。）。
【０００３】
特許文献１，２に記載のズームレンズは、物体側から順に、少なくとも、正、負、正、正の屈折力を有する４つのレンズ群が配置された高倍率ズームレンズである。特に、特許文献１に記載のズームレンズは、広角端において７７°を超える画角と、約９．４倍の変倍を行うことを実現したものである。また、特許文献２に記載のズームレンズは、広角端において６１°を超える画角と、約９．５倍の変倍を行うことを実現したものである。
【先行技術文献】
【特許文献】
【０００４】
【特許文献１】特開２００８−１７６２３０号公報
【特許文献２】特開２００８−１８５７８２号公報
【発明の概要】
【発明が解決しようとする課題】
【０００５】
特許文献１および特許文献２に記載されたズームレンズは、いずれも９倍以上の高変倍を実現するものであるが、沈胴時の薄型化が不十分であり、より小型化が要求されている撮像装置に対応しきれないという問題がある。また、画角も８０°未満と狭く、不十分である。さらに、光学性能に関しても十分とはいえない。
【０００６】
この発明は、上述した従来技術による問題点を解消するため、広い画角および高い光学性能の確保と、沈胴時の一層の薄型化が図られた、高倍率のズームレンズを提供することを目的とする。
【課題を解決するための手段】
【０００７】
上述した課題を解決し、目的を達成するため、請求項１の発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を含み構成され、前記第１レンズ群は複数の正レンズを含み構成されており、前記第１レンズ群を構成する複数の正レンズのｄ線におけるアッベ数の平均値をλｄＰ１、前記第１レンズ群を構成する複数の正レンズのｄ線における屈折率の平均値をＮｄＰ１とするとき、以下の条件式を満足することを特徴とする。
（１）    ２５≦λｄＰ１／ＮｄＰ１≦３５
【０００８】
この請求項１に記載の発明によれば、広角端において８０°以上の画角を確保したうえで、前記第１レンズ群の薄型化を図り、ズームレンズの望遠端における倍率色収差を良好に補正することができる。
【０００９】
また請求項２にかかるズームレンズは、請求項１に記載の発明において、前記第２レンズ群は、第１負レンズと、第２負レンズとを含む複数の負レンズを備えて構成されており、前記第２負レンズのｄ線におけるアッベ数をλｄＭ２、前記第２負レンズのｄ線における屈折率をＮｄＭ２とするとき、以下の条件式を満足することを特徴とする。
（２）    ２０≦λｄＭ２／ＮｄＭ２≦３１
【００１０】
この請求項２に記載の発明によれば、前記第２レンズ群の薄型化を図るとともに、ズームレンズの広角端における倍率色収差を良好に補正することができる。
【００１１】
また、請求項３の発明にかかるズームレンズは、請求項１または２に記載の発明において、前記第２レンズ群は、物体側から順に配置された、第１負レンズと、第２負レンズと、を含み構成され、前記第３レンズ群は、複数の正レンズを含み構成されており、前記第２負レンズのｄ線におけるアッベ数をλｄＭ２、前記第２負レンズのｄ線における屈折率をＮｄＭ２、前記第３レンズ群中の最も物体側に配置された正レンズのｄ線におけるアッベ数をλｄＰ３、前記第３レンズ群中の最も物体側に配置された正レンズのｄ線における屈折率をＮｄＰ３とするとき、以下の条件式を満足することを特徴とする。
（３）    ２≦（λｄＭ２／ＮｄＭ２）−（λｄＰ３／ＮｄＰ３）≦１２
【００１２】
この請求項３に記載の発明によれば、高変倍（８倍以上）を実現し、かつ広角端および望遠端における色収差を良好に補正することができる。
【発明の効果】
【００１３】
この発明によれば、広い画角および高い光学性能の確保と、沈胴時の一層の薄型化が図られた、高倍率のズームレンズを提供することができるという効果を奏する。
【図面の簡単な説明】
【００１４】
【図１】実施例１にかかるズームレンズの構成を示す光軸に沿う断面図である。
【図２】実施例１にかかるズームレンズの諸収差図である。
【図３】実施例２にかかるズームレンズの構成を示す光軸に沿う断面図である。
【図４】実施例２にかかるズームレンズの諸収差図である。
【図５】実施例３にかかるズームレンズの構成を示す光軸に沿う断面図である。
【図６】実施例３にかかるズームレンズの諸収差図である。
【発明を実施するための形態】
【００１５】
以下、添付図面を参照して、この発明にかかるズームレンズの好適な実施の形態を詳細に説明する。
【００１６】
この実施の形態にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を含み構成される。この実施の形態のズームレンズは、前記第１レンズ群〜前記第３レンズ群を光軸に沿って移動させることによって、広角端から望遠端への変倍を行う。また、前記第４レンズ群を光軸に沿って移動させることによって、変倍に伴う結像面変動（結像位置）の補正やフォーカシングを行う。
【００１７】
この発明は、広い画角の確保と、沈胴時の一層の薄型化が図られた、高倍率のズームレンズを提供することを目的としている。そこで、かかる目的を達成するため、以下に示すような各種条件を設定している。
【００１８】
まず、この実施の形態にかかるズームレンズでは、前記第１レンズ群を複数の正レンズを含み構成している。そして、前記第１レンズ群を構成する複数の正レンズのｄ線におけるアッベ数の平均値をλｄＰ１、前記第１レンズ群を構成する複数の正レンズのｄ線における屈折率の平均値をＮｄＰ１とするとき、次の条件式を満足することが好ましい。
（１）    ２５≦λｄＰ１／ＮｄＰ１≦３５
【００１９】
条件式（１）は、広角端において８０°以上の画角を確保したうえで、前記第１レンズ群の薄型化を図り、当該ズームレンズの望遠端における倍率色収差を良好に補正するための条件を規定する式である。条件式（１）においてその下限を下回ると、前記第１レンズ群の薄型化は容易になるが、望遠端における長波長（Ｃ線）に対する倍率色収差を補正することが困難となる。一方、条件式（１）においてその上限を超えると、前記第１レンズ群を構成する正レンズのｄ線における屈折率を低く、アッベ数を大きくしなければならなくなる。この場合において、前記第１レンズ群の適切な屈折力を維持しようとすると、第１レンズ群の厚さが増し、薄型化が難しくなる。さらに、当該ズームレンズの望遠端における短波長（ｇ線）に対する倍率色収差を補正することが困難になる。
【００２０】
また、この実施の形態にかかるズームレンズでは、前記第２レンズ群を、物体側から順に配置された、第１負レンズ、第２負レンズを含む複数の負レンズを備えて構成している。そして、前記第２負レンズのｄ線におけるアッベ数をλｄＭ２、前記第２負レンズのｄ線における屈折率をＮｄＭ２とするとき、次の条件式を満足することが好ましい。
（２）    ２０≦λｄＭ２／ＮｄＭ２≦３１
【００２１】
条件式（２）は、前記第２レンズ群の薄型化を図るとともに、当該ズームレンズの広角端における倍率色収差を良好に補正するための条件を規定する式である。条件式（２）においてその下限を下回ると、前記第２レンズ群の薄型化は容易になるが、当該ズームレンズの望遠端における軸上色収差を補正することが困難になる。一方、条件式（２）においてその上限を超えると、前記第２レンズ群の適正な屈折力を維持するためには、前記第２負レンズの曲率半径をきつくする必要があり、前記第２レンズ群の薄型化が困難になる。加えて、当該ズームレンズにおける球面収差、非点収差、および広角端における短波長（ｇ線）に対する倍率色収差などを良好に補正することが困難になる。
【００２２】
さらに、この実施の形態にかかるズームレンズでは、前記第３レンズ群を複数の正レンズを含み構成している。そして、前記第３レンズ群中の最も物体側に配置された正レンズのｄ線におけるアッベ数をλｄＰ３、前記第３レンズ群中の最も物体側に配置された正レンズのｄ線における屈折率をＮｄＰ３とするとき、次の条件式を満足することが好ましい。
（３）    ２≦（λｄＭ２／ＮｄＭ２）−（λｄＰ３／ＮｄＰ３）≦１２
【００２３】
条件式（３）は、高変倍（８倍以上）を実現し、かつ広角端および望遠端における色収差を良好に補正するための条件を示す式である。条件式（３）においてその下限を下回ると、広角端における倍率色収差の補正は容易になるが、望遠端における軸上色収差の補正が困難になる。一方、条件式（３）においてその上限を超えると、望遠端における軸上短波長の色収差の補正は容易になるが、広角端における倍率色収差の補正が困難になる。
【００２４】
加えて、この実施の形態にかかるズームレンズは、前記第２レンズ群を、前記複数の負レンズに加え、少なくとも１枚の正レンズを含み構成している。そして、当該正レンズの結像面側の面に非球面を形成し、当該非球面の有効径１０割の高さにおける近軸曲率半径と非球面形状との偏差量をＳ１０、当該非球面の有効径１０割の高さをＨ１０とするとき、次の条件式を満足することが好ましい。
（４）    −０．１＜Ｓ１０／Ｈ１０＜−０．００５
【００２５】
条件式（４）は、前記第２レンズ群中に配置する正レンズに形成する非球面形状を規定するための式である。この条件式（４）を満足する非球面が形成された正レンズを、前記第２レンズ群中に配置することで、全変倍域に亘って、球面収差や、非点収差、歪曲収差をはじめとする諸収差を良好に補正することができる。条件式（４）においてその下限を下回ると、非球面形状の変局点が顕著となるため、レンズ加工が困難となり、レンズの製造工程で問題が生じる。一方、条件式（４）においてその上限を超えると、前記第１レンズ群の小型化が困難になるとともに、諸収差の補正を十分に行うことができない。
【００２６】
以上説明したように、この実施の形態にかかるズームレンズは、上記条件式（１）を満足することで、広角端において８０°以上の画角を確保したうえで、前記第１レンズ群の薄型化を図り、当該ズームレンズの望遠端における倍率色収差を良好に補正することができる。さらに、上記条件式（２）を満足することで、前記第２レンズ群の薄型化を図るとともに、当該ズームレンズの広角端における倍率色収差を良好に補正することができる。さらに、上記条件式（３）を満足することで、高変倍（８倍以上）を実現し、かつ広角端および望遠端における色収差を良好に補正することができる。加えて、上記条件式（４）を満足することで、より良好な収差補正が可能になる。そして、上記条件式をすべて満足することで、この実施の形態にかかるズームレンズは、広い画角および高い光学性能の確保と、沈胴時の一層の薄型化、高変倍が可能になる。
【００２７】
なお、上記各条件式はそのいずれかひとつが満足されていれば優れた効果が期待できることはすでに述べた通りである。しかし、上記各条件式をひとつよりも複数満足することにより、より優れたズームレンズを提供できる。
【実施例１】
【００２８】
図１は、実施例１にかかるズームレンズの構成を示す光軸に沿う断面図である。このズームレンズは、図示しない物体側から順に、正の屈折力を有する第１レンズ群Ｇ11、負の屈折力を有する第２レンズ群Ｇ12、正の屈折力を有する第３レンズ群Ｇ13、および正の屈折力を有する第４レンズ群Ｇ14が配置されて構成される。また、第２レンズ群Ｇ12と第３レンズ群Ｇ13との間には、絞りＳＴＰが配置されている。第４レンズ群Ｇ14と結像面ＩＭＧとの間には、カバーガラスＣＧ（またはフィルタ）が配置されている。カバーガラスＣＧ（またはフィルタ）は必要に応じて配置されるものであり、不要な場合は省略可能である。また、結像面ＩＭＧには、ＣＣＤやＣＭＯＳなどの撮像素子の受光面が配置される。
【００２９】
第１レンズ群Ｇ11は、前記物体側から順に、負レンズＬ111、正レンズＬ112、および正レンズＬ113が配置されて構成される。負レンズＬ111と正レンズＬ112とは、接合されている。
【００３０】
第２レンズ群Ｇ12は、前記物体側から順に、負レンズＬ121（第１負レンズ）、負レンズＬ122（第２負レンズ）、および正レンズＬ123が配置されて構成される。負レンズＬ121の両面と正レンズＬ123の結像面ＩＭＧ側の面には、それぞれ非球面が形成されている。また、負レンズＬ122と正レンズＬ123とは、接合されている。
【００３１】
第３レンズ群Ｇ13は、前記物体側から順に、正レンズＬ131、負レンズＬ132、および正レンズＬ133が配置されて構成される。正レンズＬ131の前記物体側面には、非球面が形成されている。また、正レンズＬ131と負レンズＬ132とは、接合されている。
【００３２】
第４レンズ群Ｇ14は、正レンズＬ141により構成される。正レンズＬ141の両面には、それぞれ非球面が形成されている。
【００３３】
このズームレンズは、第１レンズ群Ｇ11、第２レンズ群Ｇ12、および第３レンズ群Ｇ13を光軸に沿って移動させることによって、広角端から望遠端への変倍を行う。また、第４レンズ群Ｇ14を光軸に沿って移動させることによって、変倍に伴う結像面変動（結像位置）の補正やフォーカシングを行う。
【００３４】
以下、実施例１にかかるズームレンズに関する各種数値データを示す。
【００３５】
ズームレンズ全系の焦点距離＝4.365（広角端）〜13.109（中間ズーム位置）〜41.178（望遠端）
Ｆナンバ＝3.58（広角端）〜4.82（中間ズーム位置）〜5.75（望遠端）
画角（２ω）＝87.6°（広角端）〜33.6°（中間ズーム位置）〜10.56°（望遠端）
【００３６】
（条件式（１）に関する数値）
第１レンズ群Ｇ11を構成する複数の正レンズ（正レンズＬ112、正レンズＬ113）のｄ線におけるアッベ数の平均値（λｄＰ１）＝52.0500
第１レンズ群Ｇ11を構成する複数の正レンズ（正レンズＬ112、正レンズＬ113）のｄ線における屈折率の平均値（ＮｄＰ１）＝1.7505
λｄＰ１／ＮｄＰ１＝29.73
【００３７】
（条件式（２）に関する数値）
第２負レンズ（負レンズＬ122）のｄ線におけるアッベ数（λｄＭ２）＝49.2000
第２負レンズ（負レンズＬ122）のｄ線における屈折率（ＮｄＭ２）＝1.7433
λｄＭ２／ＮｄＭ２＝28.22
【００３８】
（条件式（３）に関する数値）
第３レンズ群Ｇ13中の最も物体側に配置された正レンズ（正レンズＬ131）のｄ線におけるアッベ数（λｄＰ３）＝40.7000
第３レンズ群Ｇ13中の最も物体側に配置された正レンズ（正レンズＬ131）のｄ線における屈折率（ＮｄＰ３）＝1.8061
（λｄＭ２／ＮｄＭ２）−（λｄＰ３／ＮｄＰ３）＝5.69
【００３９】
（条件式（４）に関する数値）
第２レンズ群Ｇ12中の正レンズＬ123の結像面ＩＭＧ側の面に形成された非球面の有効径１０割の高さにおける近軸曲率半径と非球面形状との偏差量（Ｓ１０）＝-0.1000
第２レンズ群Ｇ12中の正レンズＬ123の結像面ＩＭＧ側の面に形成された非球面の有効径１０割の高さ（Ｈ１０）＝3.7
Ｓ１０／Ｈ１０＝-0.0270
【００４０】
ｒ1＝42.4567
ｄ1＝0.7000    ｎｄ1＝1.92286    νｄ1＝20.88
ｒ2＝23.7410
ｄ2＝2.8893    ｎｄ2＝1.61800    νｄ2＝63.39
ｒ3＝123.2525
ｄ3＝0.1500
ｒ4＝24.3075
ｄ4＝2.2214    ｎｄ3＝1.88300    νｄ3＝40.80
ｒ5＝72.0512
ｄ5＝0.5000(広角端)〜8.4947(中間ズーム位置)〜19.7731（望遠端）
ｒ6＝18.2902（非球面）
ｄ6＝0.8000    ｎｄ4＝1.85135    νｄ4＝40.10
ｒ7＝4.1413（非球面）
ｄ7＝2.6217
ｒ8＝-104.4554
ｄ8＝0.4500    ｎｄ5＝1.74330    νｄ5＝49.22
ｒ9＝8.5587
ｄ9＝1.6559    ｎｄ6＝2.00170    νｄ6＝19.32
ｒ10＝31.8881（非球面）
ｄ10＝11.1821(広角端)〜3.0587(中間ズーム位置)〜0.1871（望遠端）
ｒ11＝∞（絞り）
ｄ11＝0.3500
ｒ12＝4.4041（非球面）
ｄ12＝1.1356    ｎｄ7＝1.80611    νｄ7＝40.73
ｒ13＝8.7508
ｄ13＝1.4251    ｎｄ8＝1.94595    νｄ8＝17.98
ｒ14＝4.0934
ｄ14＝0.3433
ｒ15＝10.1848
ｄ15＝1.1959    ｎｄ9＝1.61800    νｄ9＝63.39
ｒ16＝-10.1848
ｄ16＝3.5000(広角端)〜5.7939(中間ズーム位置)〜13.5388（望遠端）
ｒ17＝15.7815（非球面）
ｄ17＝1.5000    ｎｄ10＝1.55332    νｄ10＝71.67
ｒ18＝-1000.0000（非球面）
ｄ18＝4.4707(広角端)〜7.8402(中間ズーム位置)〜3.0627（望遠端）
ｒ19＝∞
ｄ19＝0.5000    ｎｄ11＝1.51680    νｄ11＝64.20
ｒ20＝∞
ｄ20＝1.0081(広角端)〜1.0126(中間ズーム位置)〜1.0311（望遠端）
ｒ21＝∞（結像面）
【００４１】
円錐係数（Ｋ）および非球面係数（Ａ，Ｂ，Ｃ，Ｄ）
（第６面）
Ｋ＝0,
Ａ＝1.16028×10-4,   Ｂ＝-4.00446×10-5,
Ｃ＝9.99964×10-7,   Ｄ＝-7.76320×10-9
（第７面）
Ｋ＝-0.1858,
Ａ＝6.53494×10-4,   Ｂ＝2.25949×10-5,
Ｃ＝-7.88249×10-6,   Ｄ＝7.04313×10-8
（第１０面）
Ｋ＝0，
Ａ＝-5.92227×10-4,   Ｂ＝4.38745×10-6,
Ｃ＝1.94199×10-7,   Ｄ＝-1.48702×10-8
（第１２面）
Ｋ＝-0.5353，
Ａ＝9.52249×10-6,   Ｂ＝4.17341×10-5,
Ｃ＝-8.84871×10-6,   Ｄ＝1.17972×10-6
（第１７面）
Ｋ＝-1.6970，
Ａ＝-6.34973×10-4,   Ｂ＝3.53883×10-5,
Ｃ＝-2.81373×10-6,   Ｄ＝3.86441×10-8
（第１８面）
Ｋ＝0，
Ａ＝-6.44317×10-4,   Ｂ＝1.51939×10-5,
Ｃ＝-1.68208×10-6,   Ｄ＝1.60171×10-8
【００４２】
また、図２は、実施例１にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【実施例２】
【００４３】
図３は、実施例２にかかるズームレンズの構成を示す光軸に沿う断面図である。このズームレンズは、図示しない物体側から順に、正の屈折力を有する第１レンズ群Ｇ21、負の屈折力を有する第２レンズ群Ｇ22、正の屈折力を有する第３レンズ群Ｇ23、および正の屈折力を有する第４レンズ群Ｇ24が配置されて構成される。また、第２レンズ群Ｇ22と第３レンズ群Ｇ23との間には、絞りＳＴＰが配置されている。第４レンズ群Ｇ24と結像面ＩＭＧとの間には、カバーガラスＣＧ（またはフィルタ）が配置されている。カバーガラスＣＧ（またはフィルタ）は必要に応じて配置されるものであり、不要な場合は省略可能である。また、結像面ＩＭＧには、ＣＣＤやＣＭＯＳなどの撮像素子の受光面が配置される。
【００４４】
第１レンズ群Ｇ21は、前記物体側から順に、負レンズＬ211、正レンズＬ212、および正レンズＬ213が配置されて構成される。負レンズＬ211と正レンズＬ212とは、接合されている。
【００４５】
第２レンズ群Ｇ22は、前記物体側から順に、負レンズＬ221（第１負レンズ）、負レンズＬ222（第２負レンズ）、および正レンズＬ223が配置されて構成される。負レンズＬ221の両面と正レンズＬ223の結像面ＩＭＧ側の面には、それぞれ非球面が形成されている。また、負レンズＬ222と正レンズＬ223とは、接合されている。
【００４６】
第３レンズ群Ｇ23は、前記物体側から順に、正レンズＬ231、負レンズＬ232、および正レンズＬ233が配置されて構成される。正レンズＬ231の前記物体側面には、非球面が形成されている。また、正レンズＬ231と負レンズＬ232とは、接合されている。
【００４７】
第４レンズ群Ｇ24は、正レンズＬ241により構成される。正レンズＬ241の両面には、それぞれ非球面が形成されている。
【００４８】
このズームレンズは、第１レンズ群Ｇ21、第２レンズ群Ｇ22、および第３レンズ群Ｇ24を光軸に沿って移動させることによって、広角端から望遠端への変倍を行う。また、第４レンズ群Ｇ24を光軸に沿って移動させることによって、変倍に伴う結像面変動（結像位置）の補正やフォーカシングを行う。
【００４９】
以下、実施例２にかかるズームレンズに関する各種数値データを示す。
【００５０】
ズームレンズ全系の焦点距離＝4.378（広角端）〜13.059（中間ズーム位置）〜40.991（望遠端）
Ｆナンバ＝3.58（広角端）〜4.82（中間ズーム位置）〜5.66（望遠端）
画角（２ω）＝87.4°（広角端）〜33.12°（中間ズーム位置）〜10.56°（望遠端）
【００５１】
（条件式（１）に関する数値）
第１レンズ群Ｇ21を構成する複数の正レンズ（正レンズＬ212、正レンズＬ213）のｄ線におけるアッベ数の平均値（λｄＰ１）＝55.3500
第１レンズ群Ｇ21を構成する複数の正レンズ（正レンズＬ212、正レンズＬ213）のｄ線における屈折率の平均値（ＮｄＰ１）＝1.7030
λｄＰ１／ＮｄＰ１＝32.50
【００５２】
（条件式（２）に関する数値）
第２負レンズ（負レンズＬ222）のｄ線におけるアッベ数（λｄＭ２）＝49.6000
第２負レンズ（負レンズＬ222）のｄ線における屈折率（ＮｄＭ２）＝1.7725
λｄＭ２／ＮｄＭ２＝27.98
【００５３】
（条件式（３）に関する数値）
第３レンズ群Ｇ23中の最も物体側に配置された正レンズ（正レンズＬ231）のｄ線におけるアッベ数（λｄＰ３）＝40.7000
第３レンズ群Ｇ23中の最も物体側に配置された正レンズ（正レンズＬ231）のｄ線における屈折率（ＮｄＰ３）＝1.8061
（λｄＭ２／ＮｄＭ２）−（λｄＰ３／ＮｄＰ３）＝5.45
【００５４】
（条件式（４）に関する数値）
第２レンズ群Ｇ22中の正レンズＬ223の結像面ＩＭＧ側の面に形成された非球面の有効径１０割の高さにおける近軸曲率半径と非球面形状との偏差量（Ｓ１０）＝-0.0909
第２レンズ群Ｇ22中の正レンズＬ223の結像面ＩＭＧ側の面に形成された非球面の有効径１０割の高さ（Ｈ１０）＝3.6
Ｓ１０／Ｈ１０＝-0.0253
【００５５】
ｒ1＝35.3665
ｄ1＝0.7000    ｎｄ1＝1.92286    νｄ1＝20.88
ｒ2＝22.7365
ｄ2＝2.8303    ｎｄ2＝1.61800    νｄ2＝63.39
ｒ3＝94.1318
ｄ3＝0.1500
ｒ4＝22.1345
ｄ4＝2.1521    ｎｄ3＝1.78800    νｄ3＝47.49
ｒ5＝57.3854
ｄ5＝0.5000(広角端)〜8.0817(中間ズーム位置)〜19.4548（望遠端）
ｒ6＝19.8247（非球面）
ｄ6＝0.8000    ｎｄ4＝1.85639    νｄ4＝40.10
ｒ7＝4.0732（非球面）
ｄ7＝2.6721
ｒ8＝701.8212
ｄ8＝0.4500    ｎｄ5＝1.77250    νｄ5＝49.62
ｒ9＝8.1000
ｄ9＝1.6506    ｎｄ6＝2.01390    νｄ6＝19.32
ｒ10＝27.7772（非球面）
ｄ10＝11.0131(広角端)〜3.0593(中間ズーム位置)〜0.1500（望遠端）
ｒ11＝∞（絞り）
ｄ11＝0.3500
ｒ12＝4.6428（非球面）
ｄ12＝1.3959    ｎｄ7＝1.80610    νｄ7＝40.74
ｒ13＝9.1218
ｄ13＝1.2040    ｎｄ8＝1.94595    νｄ8＝17.98
ｒ14＝4.3311
ｄ14＝0.3125
ｒ15＝9.9065
ｄ15＝1.2138    ｎｄ9＝1.61800    νｄ9＝63.39
ｒ16＝-9.9065
ｄ16＝4.2017(広角端)〜7.1778(中間ズーム位置)〜13.6497（望遠端）
ｒ17＝16.9814（非球面）
ｄ17＝1.5000    ｎｄ10＝1.55516    νｄ10＝71.67
ｒ18＝-224.2761（非球面）
ｄ18＝4.1129(広角端)〜7.3262(中間ズーム位置)〜3.4643（望遠端）
ｒ19＝∞
ｄ19＝0.5000    ｎｄ11＝1.51680    νｄ11＝64.20
ｒ20＝∞
ｄ20＝1.0090(広角端)〜0.9591(中間ズーム位置)〜0.8904（望遠端）
ｒ21＝∞（結像面）
【００５６】
円錐係数（Ｋ）および非球面係数（Ａ，Ｂ，Ｃ，Ｄ）
（第６面）
Ｋ＝0,
Ａ＝1.09571×10-4,   Ｂ＝-2.97768×10-5,
Ｃ＝6.21695×10-7,   Ｄ＝-3.72502×10-9
（第７面）
Ｋ＝-0.1858,
Ａ＝7.30061×10-4,   Ｂ＝3.77662×10-6,
Ｃ＝-3.03192×10-6,   Ｄ＝-1.86011×10-7
（第１０面）
Ｋ＝0，
Ａ＝-6.01399×10-4,   Ｂ＝3.30880×10-6,
Ｃ＝1.07326×10-7,   Ｄ＝-4.56889×10-10
（第１２面）
Ｋ＝-0.5322，
Ａ＝2.34771×10-5,   Ｂ＝1.08796×10-5,
Ｃ＝-1.60048×10-6,   Ｄ＝5.07288×10-7
（第１７面）
Ｋ＝-4.3209，
Ａ＝-6.78620×10-4,   Ｂ＝3.28433×10-5,
Ｃ＝-1.41788×10-6,   Ｄ＝-9.87708×10-9
（第１８面）
Ｋ＝0，
Ａ＝-8.87070×10-4,   Ｂ＝3.42669×10-5,
Ｃ＝-1.76375×10-6,   Ｄ＝3.39007×10-9
【００５７】
また、図４は、実施例２にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【実施例３】
【００５８】
図５は、実施例３にかかるズームレンズの構成を示す光軸に沿う断面図である。このズームレンズは、図示しない物体側から順に、正の屈折力を有する第１レンズ群Ｇ31、負の屈折力を有する第２レンズ群Ｇ32、正の屈折力を有する第３レンズ群Ｇ33、および正の屈折力を有する第４レンズ群Ｇ34が配置されて構成される。また、第２レンズ群Ｇ32と第３レンズ群Ｇ33との間には、絞りＳＴＰが配置されている。第４レンズ群Ｇ34と結像面ＩＭＧとの間には、カバーガラスＣＧ（またはフィルタ）が配置されている。カバーガラスＣＧ（またはフィルタ）は必要に応じて配置されるものであり、不要な場合は省略可能である。また、結像面ＩＭＧには、ＣＣＤやＣＭＯＳなどの撮像素子の受光面が配置される。
【００５９】
第１レンズ群Ｇ31は、前記物体側から順に、負レンズＬ311、正レンズＬ312、および正レンズＬ313が配置されて構成される。負レンズＬ311と正レンズＬ312とは、接合されている。
【００６０】
第２レンズ群Ｇ32は、前記物体側から順に、負レンズＬ321（第１負レンズ）、負レンズＬ322（第２負レンズ）、および正レンズＬ323が配置されて構成される。負レンズＬ321の両面と正レンズＬ323の結像面ＩＭＧ側の面には、それぞれ非球面が形成されている。また、負レンズＬ322と正レンズＬ323とは、接合されている。
【００６１】
第３レンズ群Ｇ33は、前記物体側から順に、正レンズＬ331、負レンズＬ332、および正レンズＬ333が配置されて構成される。正レンズＬ331の前記物体側面には、非球面が形成されている。また、正レンズＬ331と負レンズＬ332とは、接合されている。
【００６２】
第４レンズ群Ｇ34は、正レンズＬ341により構成される。正レンズＬ341の両面には、それぞれ非球面が形成されている。
【００６３】
このズームレンズは、第１レンズ群Ｇ31、第２レンズ群Ｇ32、および第３レンズ群Ｇ34を光軸に沿って移動させることによって、広角端から望遠端への変倍を行う。また、第４レンズ群Ｇ34を光軸に沿って移動させることによって、変倍に伴う結像面変動（結像位置）の補正やフォーカシングを行う。
【００６４】
以下、実施例３にかかるズームレンズに関する各種数値データを示す。
【００６５】
ズームレンズ全系の焦点距離＝4.381（広角端）〜13.307（中間ズーム位置）〜41.113（望遠端）
Ｆナンバ＝3.60（広角端）〜4.82（中間ズーム位置）〜5.71（望遠端）
画角（２ω）＝87.4°（広角端）〜33.12°（中間ズーム位置）〜10.56°（望遠端）
【００６６】
（条件式（１）に関する数値）
第１レンズ群Ｇ31を構成する複数の正レンズ（正レンズＬ312、正レンズＬ313）のｄ線におけるアッベ数の平均値（λｄＰ１）＝55.3500
第１レンズ群Ｇ31を構成する複数の正レンズ（正レンズＬ312、正レンズＬ313）のｄ線における屈折率の平均値（ＮｄＰ１）＝1.7030
λｄＰ１／ＮｄＰ１＝32.50
【００６７】
（条件式（２）に関する数値）
第２負レンズ（負レンズＬ322）のｄ線におけるアッベ数（λｄＭ２）＝49.6000
第２負レンズ（負レンズＬ322）のｄ線における屈折率（ＮｄＭ２）＝1.7725
λｄＭ２／ＮｄＭ２＝27.98
【００６８】
（条件式（３）に関する数値）
第３レンズ群Ｇ33中の最も物体側に配置された正レンズ（正レンズＬ331）のｄ線におけるアッベ数（λｄＰ３）＝40.7000
第３レンズ群Ｇ33中の最も物体側に配置された正レンズ（正レンズＬ331）のｄ線における屈折率（ＮｄＰ３）＝1.8061
（λｄＭ２／ＮｄＭ２）−（λｄＰ３／ＮｄＰ３）＝5.45
【００６９】
（条件式（４）に関する数値）
第２レンズ群Ｇ32中の正レンズＬ323の結像面ＩＭＧ側の面に形成された非球面の有効径１０割の高さにおける近軸曲率半径と非球面形状との偏差量（Ｓ１０）＝-0.0893
第２レンズ群Ｇ32中の正レンズＬ323の結像面ＩＭＧ側の面に形成された非球面の有効径１０割の高さ（Ｈ１０）＝3.5
Ｓ１０／Ｈ１０＝-0.0255
【００７０】
ｒ1＝33.2686
ｄ1＝0.8000    ｎｄ1＝1.84666    νｄ1＝23.78
ｒ2＝19.8000
ｄ2＝3.0214    ｎｄ2＝1.61800    νｄ2＝63.39
ｒ3＝80.0497
ｄ3＝0.1500
ｒ4＝24.5713
ｄ4＝2.2786    ｎｄ3＝1.78800    νｄ3＝47.49
ｒ5＝78.2687
ｄ5＝0.5000(広角端)〜9.5000(中間ズーム位置)〜19.6766（望遠端）
ｒ6＝25.2886（非球面）
ｄ6＝0.8000    ｎｄ4＝1.85135    νｄ4＝40.10
ｒ7＝4.1057（非球面）
ｄ7＝2.4507
ｒ8＝562.3556
ｄ8＝0.4500    ｎｄ5＝1.77250    νｄ5＝49.62
ｒ9＝8.5000
ｄ9＝1.5324    ｎｄ6＝2.00170    νｄ6＝19.32
ｒ10＝31.7164（非球面）
ｄ10＝10.4212(広角端)〜3.2143(中間ズーム位置)〜0.1500（望遠端）
ｒ11＝∞（絞り）
ｄ11＝0.3500
ｒ12＝4.6699（非球面）
ｄ12＝1.1969    ｎｄ7＝1.80610    νｄ7＝40.74
ｒ13＝9.2400
ｄ13＝1.3621    ｎｄ8＝1.94595    νｄ8＝17.98
ｒ14＝4.4271
ｄ14＝0.3144
ｒ15＝10.8758
ｄ15＝1.2266    ｎｄ9＝1.61800    νｄ9＝63.39
ｒ16＝-9.1157
ｄ16＝4.0000(広角端)〜7.1658(中間ズーム位置)〜13.6403（望遠端）
ｒ17＝17.2904（非球面）
ｄ17＝1.5000    ｎｄ10＝1.59201    νｄ10＝67.02
ｒ18＝-500.0000（非球面）
ｄ18＝3.6718(広角端)〜6.6915(中間ズーム位置)〜3.2000（望遠端）
ｒ19＝∞
ｄ19＝0.5000    ｎｄ11＝1.51680    νｄ11＝64.20
ｒ20＝∞
ｄ20＝1.6130(広角端)〜1.0391(中間ズーム位置)〜1.0475（望遠端）
ｒ21＝∞（結像面）
【００７１】
円錐係数（Ｋ）および非球面係数（Ａ，Ｂ，Ｃ，Ｄ）
（第６面）
Ｋ＝0,
Ａ＝1.70699×10-4,   Ｂ＝-3.32288×10-5,
Ｃ＝7.95002×10-7,   Ｄ＝-6.27099×10-9
（第７面）
Ｋ＝-0.1858,
Ａ＝8.43675×10-4,   Ｂ＝6.56293×10-6,
Ｃ＝-2.00670×10-6,   Ｄ＝-2.29541×10-7
（第１０面）
Ｋ＝0，
Ａ＝-5.64411×10-4,   Ｂ＝-1.75974×10-5,
Ｃ＝1.70798×10-6,   Ｄ＝-3.89949×10-8
（第１２面）
Ｋ＝-0.5973，
Ａ＝-1.92725×10-5,   Ｂ＝8.22671×10-5,
Ｃ＝-2.28281×10-5,   Ｄ＝2.78115×10-6
（第１７面）
Ｋ＝1.6141，
Ａ＝-5.92164×10-4,   Ｂ＝1.68205×10-5,
Ｃ＝-7.73392×10-7,   Ｄ＝-2.40077×10-8
（第１８面）
Ｋ＝0，
Ａ＝-6.47064×10-4,   Ｂ＝2.16671×10-5,
Ｃ＝-1.42681×10-6,   Ｄ＝-6.03161×10-10
【００７２】
また、図６は、実施例３にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【００７３】
なお、上記各実施例中の数値データにおいて、ｒ1，ｒ2，・・・・は各レンズ、絞り面などの曲率半径、ｄ1，ｄ2，・・・・は各レンズ、絞りなどの肉厚またはそれらの面間隔、ｎｄ1，ｎｄ2，・・・・は各レンズなどのｄ線（λ＝５８７．５６ｎｍ）における屈折率、νｄ1，νｄ2，・・・・は各レンズなどのｄ線（λ＝５８７．５６ｎｍ）におけるアッベ数を示している。
【００７４】
また、上記各非球面形状は、非球面の深さをＺ、光軸からの高さをｙとし、光の進行方向を正とするとき、以下に示す式により表される。
【００７５】
【数１】
2011039441.tif 000003
【００７６】
ただし、Ｒは近軸曲率半径、Ｋは円錐係数、Ａ，Ｂ，Ｃ，Ｄ，はそれぞれ４次，６次，８次，１０次の非球面係数である。
【００７７】
以上説明したように、上記各実施例のズームレンズは、上記各条件式を満足することで、８０°以上の広い画角および高い光学性能の確保と、沈胴時の一層の薄型化、８倍以上の高変倍が可能なズームレンズになる。また、上記各実施例のズームレンズは、適宜非球面が形成されたレンズを用いているため、少ないレンズ枚数で、良好な光学性能を維持することができる。
【産業上の利用可能性】
【００７８】
以上のように、この発明のズームレンズは、デジタルカメラなどの撮像装置に有用であり、特に、小型、広角、高変倍が要求される場合に最適である。
【符号の説明】
【００７９】
Ｇ11，Ｇ21，Ｇ31  第１レンズ群
Ｇ12，Ｇ22，Ｇ32  第２レンズ群
Ｇ13，Ｇ23，Ｇ33  第３レンズ群
Ｇ14，Ｇ24，Ｇ34  第４レンズ群
ＩＭＧ  結像面
ＳＴＰ  絞り
ＣＧ  カバーガラス
【図１】
2011039441.tif 000004
【図２】
2011039441.tif 000005
【図３】
2011039441.tif 000006
【図４】
2011039441.tif 000007
【図５】
2011039441.tif 000008
【図６】
2011039441.tif 000009